(57)【要約】【課題】  近時、ＣＯ２を、ハウス内の作物の葉面近傍に供給し、光合成を促進し、成長を促すことが必須である。このＣＯ２を供給する手段において、最適で、かつ効率的な方法は、ハウスに配備したダクトを利用し、作物の葉面近傍に供給することである。しかし、問題は、炭酸ガス発生装置からのＣＯ２は、高温であり、直接、送風装置からダクトに送ることは、作物に害となり、かつ騒音も問題となっている。【解決手段】  本発明は、炭酸ガス発生装置に隣設し、送風機を備えた送風装置を設け、送風装置に、ＣＯ２と内気とを混合して筐体内に取入れた後に、排気口を介して、作物に効率的に供給するとともに、筐体の内面に、吸音材を設け消音と降温を図り、作物に供給する構成である。【選択図】      図１
2018007573.tif 000002
【特許請求の範囲】
【請求項１】
炭酸ガス発生装置に隣設して設置されていて、ハウスに敷設したダクトを繋ぐことができる送風装置において、
この送風装置は、筐体の室内に送風機を備えるとともに、この筐体の壁面に吸込み口と排気口を備えており、この送風機と、前記吸込み口と前記排気口との開口部を除いた、前記筐体の室内壁面に、吸音材を張装し、この吸込み口に設けた保護板の内面に吸音材を張装した構成であって、
前記筐体の室内の空気接触部位、及び／又は、前記吸込み口の保護板の内面に、前記吸音材を張装する構成としたハウスの送風装置の防音構造。
【請求項２】
前記筐体の上下面に設けた前記排気口は、上下向き排気口であって、この上下向き排気口を選択して、排気管を付設する構成とした請求項１に記載のハウスの送風装置の防音構造。
【請求項３】
前記上下向き排気口には、閉塞板を設けることで、この上下向き排気口の何れか選択的に閉塞する構成とした請求項２に記載のハウスの送風装置の防音構造。
【請求項４】
前記筐体の前記吸込み口から、前記炭酸ガス発生装置からの炭酸ガスを吸込み、前記上側の排気口、及び／又は、前記下側の排気口から、前記排気管と、前記ダクトを介して、前記ハウスの適所で栽培する作物の近傍に前記炭酸ガスを送る構成とした請求項２に記載のハウスの送風装置の防音構造。
【請求項５】
前記閉塞板の内面に、前記吸音材を張装する構成とした請求項３に記載のハウスの送風装置の防音構造。
【発明の詳細な説明】
【技術分野】
【０００１】
本発明は、ハウスにおいて、炭酸ガス発生装置からの炭酸ガスを吸込み、送風装置を経由してダクトに導くとともに、ハウス内の作物に供給する送風装置の防音構造に関する。
【背景技術】
【０００２】
近時、炭酸ガスを、作物の葉面近傍に供給し、ハウス内の作物の光合成を促進し、成長を促すことが、経営面と市場の要望とに応え得る。そのための手段として、最適で、かつ効率的な方法は、ハウスに配備したダクトを利用し、作物の葉面近傍に供給することが有効である。また、炭酸ガス発生装置からの炭酸ガスは、高温であり、直接、送風装置からダクトに送ることは、作物に害となる。
【０００３】
そのために、炭酸ガス発生装置からの炭酸ガスを、一時的にハウス内空気と接触させ、降温と濃度の稀釈化を図り、ダクトを介して、葉面近傍に供給することが行われている。関連する発明として、特開２０１６−７１６３号公報による炭酸ガスを加湿及び冷却する加湿手段を付設した、炭酸ガス発生システムの発明が開示されている。しかし、この発明は、別のチャンバー室を、送風装置に、付設し、このチャンバー室から、多岐に亙るダクトを介して、ハウスの多方面に送風、かつ供給するシステムである。
【０００４】
また、炭酸ガス発生装置に、送風装置を隣設すると、この送風装置内の送風機の騒音と、併せて、送風装置に、炭酸ガスとハウス内空気とを略同時に吸込むことによる騒音とが考えられ、その対策が要望される状況となってきた。しかしながら、市場では、この種の送風装置においは、現在、有効な対策がとられていないのが現況である。
【０００５】
ハウス内の空間の有効利用と、作業、観光農園等の見地から、その栽培スタイルも異なっており、土耕栽培、棚栽培とか、誘引栽培、吊り下ろし栽培（吊下げ栽培）等があり、ダクトを配備する方法も区々となる。これに鑑み、送風装置の排気口も、少なくとも、上下方向、及び／又は、水平方向等の如く、多岐に亙るように選択できることが要望されている。
【０００６】
前述した要望に関連する発明として、特開２０１４−４２４８３号公報による、混合空気を本体部より、複数のダクトを介して、供給する発明が開示されている。
【０００７】
【特許文献１】特開２０１６−７１６３号公報
【特許文献２】特開２０１４−４２４８３号公報
【発明の概要】
【発明が解決しようとする課題】
【０００８】
前述の如く、市場における、送風装置にチャンバー室と多岐に亙るダクトを介して、送風かつ供給するシステムでは、複雑となり、経済性と、取扱いに問題を残すことが考えられる。
【０００９】
また送風装置による騒音に関しては、現状では、有効な構成が示されていない。
【課題を解決するための手段】
【００１０】
本発明は、送風装置自体に、多岐に亙るダクトの設置を図り、ハウスの平面的、及び／又は、上下空間における多方面への送風、かつ炭酸ガスの供給を図り、作物の葉面近傍に供給し、ハウス内の作物の光合成を促進し、成長を促すことができる。これにより、例えば、経営面と市場の要望とに応え得る実益性を備える。
【００１１】
上記に鑑み、請求項１〜請求項５を提案する。
【発明の効果】
【００１２】
請求項１の発明は、炭酸ガス発生装置に隣設して設置されていて、ハウスに敷設したダクトを繋ぐことができる送風装置において、
送風装置は、筐体の室内に送風機を備えるとともに、筐体の壁面に吸込み口と排気口を備えており、送風機と、吸込み口と前記排気口との開口部を除いた、筐体の室内壁面に、吸音材を張装し、吸込み口に設けた保護板の内面に吸音材を張装した構成であって、
筐体の室内の空気接触部位、及び／又は、吸込み口の保護板の内面に、吸音材を張装する構成としたハウスの送風装置の防音構造である。
【００１３】
従って、請求項１は、送風装置自体に、多岐に亙るダクトの設置を図り、ハウスの平面的、及び／又は、上下空間における多方面への送風、かつ炭酸ガスの供給を図り、作物の葉面近傍に供給し、ハウス内の作物の光合成を促進し、成長を促すことができる。そして、例えば、経営面と市場の要望とに応え得る実益性を備える。
【００１４】
請求項２の発明は、筐体の上下面に設けた排気口は、上下向き排気口であって、上下向き排気口を設け、上下側の排気口を選択して、排気管を付設するハウスの送風装置の防音構造である。
【００１５】
従って、請求項２は、請求項１の特徴に併せて、排気管の設置位置を選択できる実益を備える。
【００１６】
請求項３の発明は、上下向き排気口には、閉塞板を設けることで、上下向き排気口の何れか選択的に閉塞するハウスの送風装置の防音構造である。
【００１７】
従って、請求項３は、請求項１の特徴に併せて、排気管の設置位置を選択した際の後処理を容易にできる実益を備える。
【００１８】
請求項４の発明では、筐体の吸込み口から、炭酸ガス発生装置からの炭酸ガスを吸込み、上側の排気口、及び／又は、下側の排気口から、排気管と、ダクトを介して、ハウスの適所で栽培（土耕栽培、棚栽培とか、誘引栽培、吊り下ろし栽培等）する作物の近傍に炭酸ガスを送るハウスの送風装置の防音構造である。
【００１９】
従って、請求項４は、請求項２の特徴に併せて、排気管の設置位置を選択と、選択時の利点を確実に確保できる実益を備える。
【００２０】
請求項５の発明では、閉塞板の内面に、吸音材を張装するハウスの送風装置の防音構造である。
【００２１】
従って、請求項５は、請求項１の特徴に併せて、閉塞板を取付けた際の騒音防止が図れる実益を備える。
【図面の簡単な説明】
【００２２】
【図１】送風装置の一部欠截の正面図
【図２】送風装置の平面視した端面図
【図３】送風装置の側面視し、かつ吸音材を一部省略した端面図
【図４−１】送風装置の下方に排気管を付設する際の正面視した断面図
【図４−２】送風装置の上方に排気管を付設する際の正面視した断面図
【図５−１】送風装置の下方に排気管を付設する正面視した断面図
【図５−２】送風装置の上方に排気管を付設する正面視した断面図
【図５−３】図５−１の排気管を一部欠截した断面図
【図５−４】図５−１の排気管を利用し、ハウス全体にダクトを付設する状態の一部を示した模式図
【図６−１】送風装置の下方に他の排気管を付設する正面視した断面図
【図６−２】送風装置の上方に他の排気管を付設する正面視した断面図
【発明を実施するための形態】
【００２３】
以下、本発明の各実施例を説明する。
【００２４】
図１〜図３において、ハウスＢの、例えば、妻面には、炭酸ガス発生装置Ａが配備されており、この炭酸ガス発生装置Ａに隣設するようにして本発明の送風装置Ｃが配備されている。この送風装置Ｃは、ベースＤの上に配置されるとともに、送風装置Ｃと炭酸ガス発生装置Ａとの間には、所定の間隔Ｅを設ける。理由は、例えば、ハウスＢ内外の希望する空気（内外気）を適量吸込むことと、又は、炭酸ガス発生装置Ａからの高温の炭酸ガスＦ（ＣＯ２）を降温できる内外気を適量吸込むこと、或いは炭酸ガスＦの濃度調整用の空気を適量吸込むか、その吸込み量を調整して吸込む（そのための手段は図示しない）こと等を目的とする。
【００２５】
送風装置Ｃは、全体視して筐体１であって、吸込み口２を一方の壁面１ｅに備えており、排気口３、３０（上向き排気口３、下向き排気口３０）を何れかの壁面１ａ、１ｂ〜１ｎに備えている。そして、炭酸ガス発生装置Ａで生成された炭酸ガスＦは、筐体１内に配備した送風機５の働きで、吸込み口２より室内Ｃ１（内部１００）に吸込み、その後、排気口３（上向き排気口３）、又は排気口３０（下向き排気口３０）を経由して排気管６、６０、及び／又は、ダクト７、７ａを経て、ハウスＢの作物に供給される。
【００２６】
本発明は、送風装置Ｃの騒音対策として、吸音材１０を筐体１の室内Ｃ１（内部）の壁面１ａ〜１ｎに張装、被覆、又は展張等して設ける。この一例では、吸音材１０を、上下面（天板と底部）内部の壁面１ａ、１ｂと、周辺内部（四方側面）の壁面１ｃ〜１ｆ、その他の内部等の壁面１ｎに張装する。即ち、底部の壁面１ｂを例に挙げれば、壁面１ｂに送風機５等の機材、物を設置した筐体１の室内Ｃ１に露出するスペース（スペース部位）、即ち、空気接触部位１ｂイに、吸音材１０を設ける。その他の壁面１ｃ〜１ｎも同様に、空気接触部位１ｃイ〜空気接触部位１ｎイに、吸音材１０を設ける。また、吸込み口２を設けた壁面１ｅには、この吸込み口２を除いた箇所と、中心部の送風機用のモータを保護する保護板１１の内面１１ａとには、吸音材１０を設ける。この吸込み口２には、炭酸ガスＦ、及び／又は、空気Ｈを吸込むための孔２００、スリット等（開口部）を多数開設する。この開口部外は、吸音材１０を設ける（図示しないが、他の壁面に開口部がある構造では同じ）。
【００２７】
送風装置Ｃの天板壁面１ａと底面壁面１ｂには、それぞれ、前記排気口３、３０が設けられている。この排気口３、３０の内の希望する吹出す方向を、選択する。この排気口３、３０には、例えば、フランジ接合を利用し、排気管６、６０を取付ける。この排気管６０、又は排気管６を取付けた場合には、何れかの排気口３、３０には、閉塞板１３、１３０を取付ける。そして、この閉塞板１３、１３０の内面１３ａ、１３０ａに、吸音材１０を設ける。この閉塞板１３、１３０は、図示しない止め具で、排気口３、３０に取付ける。従って、閉塞板１３、及び／又は、閉塞板１３０の取付けで、何れかの排気口３、３０を利用できる。前記排気管６、６０の内部６ａ、６０ａには、吸音材１０を設ける。また、排気管６、６０には、複数で、かつ多方向の排気口１２、１２０を有する。尚、図示しないが、排気口３、３０にダンパーを付設し、開口部を開閉することも有り得る。
【００２８】
図中７、７ａはハウスＢ内に付設されたダクトを示す。
【００２９】
次に、本発明のダクト７への炭酸ガス（ＣＯ２）の供給例を示す。図１に示すように、送風装置Ｃの何れかの天板側排気口３か、底部側排気口３０を選択する。図４−１、図５−１、図５−３と図５−４、並びに図６−１に示すように、底部壁面１ｂの排気口３０（突管）に排気管６０を取付け、天板に開設した排気口３には、閉塞板１３を取付けて塞ぐ。従って、炭酸ガス発生装置Ａからの炭酸ガスＦは、ハウスＢ内の空気、及び／又は、ハウスＢ外の空気（空気とする）とともに、送風装置Ｃの吸込み口２の孔２００を介して、送風装置Ｃの室内Ｃ１に到り、底部に設置する送風機５の働きで、底部の排気口３０から排気管６０に到る。その後は、炭酸ガスＦ等は排気管６０に繋ぐダクト７より作物に送られる。その際には、送風装置Ｃの吸音材１０とか、排気管６０の吸音材１０を利用して消音を図る。この下側への送風は、例えば、土耕栽培とか、棚栽培に適する。排気管６０の排気口１２０には、例えば、ダクト７の基管を繋ぐ。
【００３０】
また、図４−２と、図５−２、並びに図６−２に示すように、天板壁面１ａの排気口３に排気管６を取付け、底部に開設した排気口３０は、閉塞板１３０を取付けて塞ぐ。従って、炭酸ガス発生装置Ａからの炭酸ガスＦは、ハウスＢ内の空気、及び／又は、ハウスＢ外の空気（空気とする）とともに、送風装置Ｃの吸込み口２の孔２００を介して、送風装置Ｃの室内Ｃ１に到り、底部に設置する送風機５の働きで、天板の排気口３から排気管６に到る。その後は、炭酸ガスＦ等は排気管６に繋ぐダクト７、７ａ（本管ダクト７と、分岐ダクト７ａ）より作物に送られる。その他吸音材１０等の使用は同じである。この上側への送風は、例えば、誘引栽培、吊り下ろし栽培等に適する。排気管６の排気口１２には、例えば、ダクト７の基管を繋ぐ。
【００３１】
尚、吸音材１０は、筐体１（送風装置Ｃ）の外側昇温を抑制できる副次的な効果も考えられる。これによれば、人的被害解消と、ハウスＢの昇温防止効果とか、作物への悪影響等にも有効である。
【００３２】
前述した各実施例等は、本発明の好ましい一例の説明である。各実施例とか図面に限定されない。従って、発明の趣旨の範囲において構成の一部を変更する構造とか、同じ特徴と効果を達成できる構造、等は、本発明の範疇である。
【符号の説明】
【００３３】
１  筐体
１ａ〜１ｎ  壁面
１ａイ〜１ｎイ  空気接触部位
１００  内部
２  吸込み口
２００  孔
３  排気口
３ａ  内面
３０  排気口
３０ａ  内面
５  送風機
６  排気管
６ａ  内部
６０  排気管
６０ａ  内部
７  ダクト
７ａ  ダクト
１０  吸音材
１１  保護板
１１ａ  内面
１２  排気口
１２０  排気口
１３  閉塞板
１３ａ  内面
１３０  閉塞板
１３０ａ  内面
Ａ  炭酸ガス発生装置
Ｂ  ハウス
Ｃ  送風装置
Ｃ１  室内
Ｄ  ベース
Ｅ  間隔
Ｆ  炭酸ガス
Ｈ  空気
【図１】
2018007573.tif 000003
【図２】
2018007573.tif 000004
【図３】
2018007573.tif 000005
【図４−１】
2018007573.tif 000006
【図４−２】
2018007573.tif 000007
【図５−１】
2018007573.tif 000008
【図５−２】
2018007573.tif 000009
【図５−３】
2018007573.tif 000010
【図５−４】
2018007573.tif 000011
【図６−１】
2018007573.tif 000012
【図６−２】
2018007573.tif 000013